(57)【要約】  【課題】  電気機器の筐体の内外に吸排気する吸排気方向を変更することができる電気機器を提供する。  【解決手段】  略直方体の筐体１の正面、背面及び両側面に形成された第１乃至第４通気部１１，１２，１３，１４夫々に配された第１乃至第４ファン２１，２２，２３，２４を備え、第１乃至第４ファン２１，２２，２３，２４をモータで回転させることにより、筐体１内に設けられた光源６及び光変調素子７で発生する熱を筐体１の外部へ放熱するようにしてある電気機器において、制御部４が第１乃至第４ファン２１，２２，２３，２４の回転方向を切り替えるように構成する。【選択図】        図１
2006309015.tif 000002
【特許請求の範囲】
【請求項１】
筐体の通気部に配されたファンを回転させることで、空気が前記筐体を通過するようにしてある電気機器において、
前記ファンの回転方向を正逆に切り替える手段を備える
ことを特徴とする電気機器。
【請求項２】
前記通気部は複数あり、
前記ファンは、
前記通気部夫々に配されており、
各通気部に外側で対向する物体を検出する検出手段と、
該検出手段が物体を検出した場合、前記通気部に対向する物体がある旨を報知する手段と
を備えることを特徴とする請求項１に記載の電気機器。
【請求項３】
前記通気部は３以上あり、
前記ファンは、
前記通気部夫々に配されており、
各通気部に外側で対向する物体を検出する検出手段と、
該検出手段の検出結果に基づいて、物体の対向していない通気部を特定する特定手段と、
該特定手段が物体の対向していない２以上の通気部を特定した場合、特定されたいずれか２つの通気部に配されたファン夫々の回転方向が正逆となるように前記ファンの回転方向を制御する手段と
を備えることを特徴とする請求項１に記載の電気機器。
【請求項４】
前記検出手段が物体を検出した場合、前記通気部に対向する物体がある旨を報知する手段を備える
ことを特徴とする請求項３に記載の電気機器。
【請求項５】
前記検出手段が物体を検出した場合、物体が対向している通気部に配されたファンの回転を停止させる手段を備える
ことを特徴とする請求項２乃至請求項４のいずれか一つに記載の電気機器。
【請求項６】
前記検出手段の検出結果に基づいて、物体の対向していない通気部が１以下であるか否かを判定する判定手段と、
該判定手段が１以下であると判定した場合、警告を発する手段と
を備えることを特徴とする請求項２乃至請求項５のいずれか一つに記載の電気機器。
【請求項７】
筐体の通気部に配されたファンを回転させることで、画像を表示する投射光を投射する投射手段を空冷するようにしてあるプロジェクタにおいて、
前記ファンの回転方向を正逆に切り替える手段を備える
ことを特徴とするプロジェクタ。
【請求項８】
前記通気部は複数あり、
前記ファンは、
前記通気部夫々に配されており、
各通気部に外側で対向する物体を検出する検出手段と、
該検出手段が物体を検出した場合、前記通気部に対向する物体がある旨を報知する手段と
を備えることを特徴とする請求項７に記載のプロジェクタ。
【請求項９】
前記通気部は３以上あり、
前記ファンは、
前記通気部夫々に配されており、
各通気部に外側で対向する物体を検出する検出手段と、
該検出手段の検出結果に基づいて、物体の対向していない通気部を特定する特定手段と、
該特定手段が物体の対向していない２以上の通気部を特定した場合、特定されたいずれか２つの通気部に配されたファン夫々の回転方向が正逆となるように前記ファンの回転方向を制御する手段と
を備えることを特徴とする請求項７に記載のプロジェクタ。
【請求項１０】
前記検出手段が物体を検出した場合、前記通気部に対向する物体がある旨を報知する手段を備える
ことを特徴とする請求項９に記載のプロジェクタ。
【請求項１１】
前記検出手段が物体を検出した場合、物体が対向している通気部に配されたファンの回転を停止させる手段を備える
ことを特徴とする請求項８乃至請求項１０のいずれか一つに記載のプロジェクタ。
【請求項１２】
前記検出手段の検出結果に基づいて、物体の対向していない通気部が１以下であるか否かを判定する判定手段と、
該判定手段が１以下であると判定した場合、警告を発する手段と
を備えることを特徴とする請求項８乃至請求項１１のいずれか一つに記載のプロジェクタ。
【請求項１３】
前記判定手段が１以下であると判定した場合、警告に関する画像を表示する投射光を前記投射手段に投射させるようにしてある
ことを特徴とする請求項１２に記載のプロジェクタ。
【請求項１４】
前記判定手段が１以下であると判定した場合、前記投射手段による投射光の投射を停止させる手段を備える
ことを特徴とする請求項１２又は請求項１３に記載のプロジェクタ。
【発明の詳細な説明】
【技術分野】
【０００１】
本発明は、筐体の通気部にファンを配することで、筐体内を空冷可能に構成してある電気機器及びプロジェクタに関する。
【背景技術】
【０００２】
従来のプロジェクタは、略直方体の筐体の正面側及び背面側に通気部が形成されていて、通気部には夫々吸気用及び排気用のファンが配されている。ファンは一定方向に回転して、正面側の通気部から筐体内に吸気し、背面側の通気部から排気することで、投影用の発光管で発生した熱を筐体の外部へ放熱する。
【特許文献１】特開平１０−９０７９４号公報
【発明の開示】
【発明が解決しようとする課題】
【０００３】
しかしながら、従来のプロジェクタにおいては、ファンの回転方向が一定であるため、吸排気方向が一定であるという問題があった。吸排気方向が一定である場合、筐体の背面側にいるプロジェクタの使用者は、筐体から排気された熱気を受け、不快感を覚える虞があるが、プロジェクタの側面側に移動しない限り、排気された熱気を避けることができない。
【０００４】
また、筐体の正面側又は背面側に置かれた物体で通気部が塞がれた場合、発光管を効果的に冷却することができないため、液晶パネルの制御回路が温度異常で誤動作したり、発光管の熱により筐体の一部が熱変形する虞があるという問題があった。
【０００５】
上述の問題は、発熱する負荷を有する複写機又はファクシミリ等の電気機器も同様に有している。
【０００６】
本発明は、斯かる事情に鑑みてなされたものであり、ファンの回転方向を正逆に切替可能に構成することにより、配置された電気機器の姿勢を変更することなく、吸気及び排気方向を変更することができる電気機器及びプロジェクタを提供することを目的とする。
【０００７】
また、複数の通気部及びファン、並びに各通気部の外側で対向する物体を検出する検出部を備え、検出部が物体を検出した場合、通気部を塞ぐ物体がある旨を報知する構成とすることにより、空気の通過方向が、通気部が塞がれていないときの通過方向から変化したことを報知することができる電気機器及びプロジェクタを提供することを他の目的とする。
【０００８】
更に、３以上の通気部及びファンを備え、各通気部のいずれかに物体が対向した場合、一のファンが筐体内に吸気し、他のファンが筐体外に排気するようにファンの回転方向を制御する構成とすることにより、通気部のいずれかが物体で塞がれた場合であっても、空気が筐体を通過する状態を維持することができる電気機器及びプロジェクタを提供することを他の目的とする。
【０００９】
更にまた、通気部の外側で対向する物体を検出する検出部を備え、検出部が物体を検出した場合、通気部を塞ぐ物体がある旨を報知するように構成することにより、空気の通過方向が、通気部が塞がれていないときの通過方向から変化したことを報知することができる電気機器及びプロジェクタを提供することを他の目的とする。
【００１０】
更にまた、通気部に対向する物体を検出した場合、物体が対向している通気部に配されたファンの回転を停止させることにより、吸排気することができないファンの回転による無駄なエネルギー消費を防ぐことができる電気機器及びプロジェクタを提供することを他の目的とする。
【００１１】
更にまた、検出部の検出結果に基づいて、物体の対向していない通気部が１以下であるか否かを判定し、１以下であると判定した場合、警告を発するように構成することにより、空気が筐体を通過できない状態にあることを警告することができる電気機器及びプロジェクタを提供することを他の目的とする。
【００１２】
更にまた、検出部の検出結果に基づいて、物体の対向していない通気部が１以下であるか否かを判定し、１以下であると判定した場合、警告に関する画像を表示する投射光を投射するように構成することにより、空気が筐体を通過できない状態にあることを投射光による画像で報知することができるプロジェクタを提供することを他の目的とする。
【００１３】
更にまた、物体の対向していない通気部が１以下の場合、投射部による投射光の投射を停止させることにより、異常な温度上昇による投射部の誤動作及び破損を防ぐことができるプロジェクタを提供することを他の目的とする。
【課題を解決するための手段】
【００１４】
本発明に係る電気機器は、筐体の通気部に配されたファンを回転させることで、空気が前記筐体を通過するようにしてある電気機器において、前記ファンの回転方向を正逆に切り替える手段を備えることを特徴とする。
【００１５】
本発明に係る電気機器は、前記通気部が複数あり、前記ファンは、前記通気部夫々に配されており、各通気部に外側で対向する物体を検出する検出手段と、該検出手段が物体を検出した場合、前記通気部に対向する物体がある旨を報知する手段とを備えることを特徴とする。
【００１６】
本発明に係る電気機器は、前記通気部が３以上あり、前記ファンは、前記通気部夫々に配されており、各通気部に外側で対向する物体を検出する検出手段と、該検出手段の検出結果に基づいて、物体の対向していない通気部を特定する特定手段と、該特定手段が物体の対向していない２以上の通気部を特定した場合、特定されたいずれか２つの通気部に配されたファン夫々の回転方向が正逆となるように前記ファンの回転方向を制御する手段とを備えることを特徴とする。
【００１７】
本発明に係る電気機器は、前記検出手段が物体を検出した場合、前記通気部に対向する物体がある旨を報知する手段を備えることを特徴とする。
【００１８】
本発明に係る電気機器は、前記検出手段が物体を検出した場合、物体が対向している通気部に配されたファンの回転を停止させる手段を備えることを特徴とする。
【００１９】
本発明に係る電気機器は、前記検出手段の検出結果に基づいて、物体の対向していない通気部が１以下であるか否かを判定する判定手段と、該判定手段が１以下であると判定した場合、警告を発する手段とを備えることを特徴とする。
【００２０】
本発明に係るプロジェクタは、筐体の通気部に配されたファンを回転させることで、画像を表示する投射光を投射する投射手段を空冷するようにしてあるプロジェクタにおいて、前記ファンの回転方向を正逆に切り替える手段を備えることを特徴とする。
【００２１】
本発明に係るプロジェクタは、前記通気部が複数あり、前記ファンは、前記通気部夫々に配されており、各通気部に外側で対向する物体を検出する検出手段と、該検出手段が物体を検出した場合、前記通気部に対向する物体がある旨を報知する手段とを備えることを特徴とする。
【００２２】
本発明に係るプロジェクタは、前記通気部が３以上あり、前記ファンは、前記通気部夫々に配されており、各通気部に外側で対向する物体を検出する検出手段と、該検出手段の検出結果に基づいて、物体の対向していない通気部を特定する特定手段と、該特定手段が物体の対向していない２以上の通気部を特定した場合、特定されたいずれか２つの通気部に配されたファン夫々の回転方向が正逆となるように前記ファンの回転方向を制御する手段とを備えることを特徴とする。
【００２３】
本発明に係るプロジェクタは、前記検出手段が物体を検出した場合、前記通気部に対向する物体がある旨を報知する手段を備えることを特徴とする。
【００２４】
本発明に係るプロジェクタは、前記検出手段が物体を検出した場合、物体が対向している通気部に配されたファンの回転を停止させる手段を備えることを特徴とする。
【００２５】
本発明に係るプロジェクタは、前記検出手段の検出結果に基づいて、物体の対向していない通気部が１以下であるか否かを判定する判定手段と、該判定手段が１以下であると判定した場合、警告を発する手段とを備えることを特徴とする。
【００２６】
本発明に係るプロジェクタは、前記判定手段が１以下であると判定した場合、警告に関する画像を表示する投射光を前記投射手段に投射させるようにしてあることを特徴とする。
【００２７】
本発明に係るプロジェクタは、前記判定手段が１以下であると判定した場合、前記投射手段による投射光の投射を停止させる手段を備えることを特徴とする。
【００２８】
本発明にあっては、ファンが正方向に回転している場合、筐体内に吸気され、ファンが逆方向に回転している場合、筐体外に排気される。従って、ファンの回転方向を正逆に切り替えた場合、吸排気方向が切り替わる。吸気方向が切り替えられた場合、筐体から空気が排出される方向が変化する。
【００２９】
本発明にあっては、検出手段が通気部の外側で対向する物体を検出した場合、つまり通気部を塞ぐ虞のある物体を検出した場合、通気部に対向する物体がある旨を報知する。また、通気部及びファンは夫々複数あるため、物体で塞がれていない残りの通気部に配されたファンの回転方向を切り替えることにより、空気が筐体を通過するようにファンの吸排気方向を切り替えることができる。
【００３０】
本発明にあっては、３以上のファンのいずれかに対向する物体があることを検出手段が検出した場合、物体の対向していない通気部を特定手段が特定する。そして、特定された一のファンが、筐体内に吸気し、特定された他のファンが、筐体外に排気するようにファンの回転方向を制御する。従って、通気部のいずれかが物体で塞がれた場合であっても、空気が筐体を通過する。
【００３１】
本発明にあっては、検出手段が通気部の外側で対向する物体を検出した場合、つまり通気部を塞ぐ虞のある物体を検出した場合、通気部に対向する物体がある旨を報知する。
【００３２】
本発明にあっては、物体が対向している通気部に配されたファンの回転を停止させる。従って、効率的に吸排気することができないファンの回転による無駄なエネルギー消費は無い。
【００３３】
本発明にあっては、物体の対向していない通気部が１以下である場合、つまり効率的に空気が筐体を通過できない虞がある場合、警告を発する。
【００３４】
本発明にあっては、物体の対向していない通気部が１以下である場合、つまり効率的に空気が筐体を通過できない虞がある場合、警告に関する画像を表示する投射光を投射手段が投射する。従って、投射光で表示された画像を見ている使用者は、吸排気の異常を直ちに認識することができる。
【００３５】
本発明にあっては、物体の対向していない通気部が１以下である場合、投射手段による投射光の投射は停止する。従って、効率的に空気が筐体を通過しておらず、投射手段で発生する熱が筐体の外部に排出されない状態で、投射手段が投射光を投射することはない。従って、温度異常による投射手段の誤動作又は故障が発生する虞はない。
【発明の効果】
【００３６】
本発明によれば、配置された電気機器の姿勢を変更することなく、吸気及び排気方向を変更することができる。
【００３７】
本発明によれば、空気の通過方向が、通気部が塞がれていないときの通過方向から変化したことを報知することができる。
【００３８】
本発明によれば、通気部のいずれかが物体で塞がれた場合であっても、空気が筐体を通過する状態を維持することができる。
【００３９】
本発明によれば、空気の通過方向が、通気部が塞がれていないときの通過方向から変化したことを報知することができる。
【００４０】
本発明によれば、吸排気することができないファンの回転による無駄なエネルギー消費を防ぐことができる。
【００４１】
本発明によれば、空気が筐体を通過できない状態にあることを警告することができる。
【００４２】
本発明によれば、空気が筐体を通過できない状態にあることを投射光による画像で警告することができる。
【００４３】
本発明によれば、異常な温度上昇による投射部の誤動作及び破損を防ぐことができる。
【発明を実施するための最良の形態】
【００４４】
以下に、本発明をその実施の形態を示す図面に基づいて詳述する。
【００４５】
（実施の形態１）
図１は、本発明の実施の形態１に係るプロジェクタを示すブロック図である。図中１は、略直方体の筐体であり、筐体１の正面側、上下方向略中央部の右寄り部分にレンズ８が設けられている。筐体１のレンズ８より左寄り部分には、複数の横長のスリットからなる第１通気部１１が形成されている。筐体１の内部には、第１通気部１１に対向し、空気を筐体１の内外に吸排気する第１ファン２１が配されている。
【００４６】
第１ファン２１の中心部分には、第１ファン２１を回転させる第１モータ２１ａの出力軸が連結されており、第１モータ２１ａの回転、停止、及び回転方向の切り替えは、筐体１内の適宜箇所に配置された制御部４により制御される。制御部４は、所定時間を計時するタイマー４０、図示しないＲＡＭ等を内蔵している。
【００４７】
また、正面視で筐体１の上下方向略中央部で、第１通気部１１の右側には、超音波を筐体１の外側前方に向けて発信する図示しない発信部、及び正面へ進行する超音波を受信する受信部を備えた第１検出部３１が配設されている。第１検出部３１は、第１通気部１１に対向する物体の有／無に応じてオン／オフする信号ｓ１を制御部４に出力する。
【００４８】
筐体１の左側面、背面及び右側面には、第１通気部１１と同様の第２通気部１２、第３通気部１３及び第４通気部１４が夫々形成され、第１検出部３１と同様の第２検出部３２、第３検出部３３及び第４検出部３４が設けられている。第２検出部乃至第４検出部３２，３３，３４は、夫々第２通気部乃至第４通気部１２，１３，１４に対向する物体の有／無に応じてオン／オフする信号ｓ２，ｓ３，ｓ４を制御部４に出力する。また、第２通気部１２、第３通気部１３及び第４通気部１４には、第２ファン２２、第３ファン２３及び第４ファン２４が配され、第２ファン２２、第３ファン２３及び第４ファン２４の中心部分には、第２モータ２２ａ、第３モータ２３ａ及び第４モータ２４ａが連結されている。第２乃至第４モータ２２ａ，２３ａ，２４ａの回転は、制御部４により制御される。
【００４９】
制御部４は、第１乃至第４検出部３１，３２，３３，３４が出力する信号ｓｉに応じて、第１乃至第４モータ２１ａ，２２ａ，２３ａ，２４ａの回転方向及び回転の停止を制御するためのテーブルをＲＡＭに記憶している。但し、信号ｓｉは、第１検出部乃至第４検出部３１，３２，３３，３４から出力される信号ｓ１乃至ｓ４を示しており、信号ｓｉ＝１をオンの信号、信号ｓｉ＝０をオフの信号として説明する。制御部４は、例えば（ｓ１，ｓ２，ｓ３，ｓ４）＝（０，０，０，０）に対応させた制御データ（ｆ１，ｆ２，ｆ３，ｆ４）＝（１，０，０，２）をＲＡＭに記憶している。ｆ１乃至ｆ４は、夫々第１乃至第４ファン２１，２２，２３，２４の回転及び停止の制御内容を示しており、数値１は、吸気可能な方向への回転、数値２は、排気可能な方向への回転、数値０は、回転の停止を示している。また制御部４は、ｓｉ＝１又は０の１６通りの組み合わせに制御データを対応させたテーブルを記憶している。特に、ｓｉ＝１（ｉ＝１，２，３，４）の場合、対応する制御データのｆｉ（ｉ＝１，２，３，４）として０を設定してある。また、第１乃至第４通気部1１，１２，１３，１４の２つ以上が塞がれていない場合、つまりΣｓｉ≦２の場合、ｆｉの少なくとも一つが１であり、他の一つが２であるような制御データを設定してある。制御部４は、制御データ（ｆ１，ｆ２，ｆ３，ｆ４）に基づいて第１乃至第４ファン２１，２２，２３，２４の回転及び停止を制御する。
【００５０】
更に筐体１の上面側の左右方向略中央部、背面寄り部分に、警告用の発光ダイオード５が配設されている。発光ダイオード５の点灯は、制御部４により制御される。また、発光ダイオード５の左側には十字キー９０、設定ボタン９１が配設されており、制御部４が十字キー９０及び設定ボタン９１の操作状態を検出するように構成されている。
【００５１】
また、プロジェクタは、メタルハライドランプ、メタルハライドランプが発する光を一定方向に反射するリフレクタからなる光源６を、第１通気部１１及び第４通気部１４から筐体１を通過する空気の通過経路上、より具体的には筐体１の内部で、レンズ８の光軸上、背面裏側に備えている。光源６からの光は、光源６の正面側に配された光変調素子７に入射する。光変調素子７は、制御部４から出力される画像データに基づいて、画像を表示する液晶パネルを備えており、光源６から入射した光は液晶パネルを透過することで光変調される。光変調された光は、レンズ８に入射して、スクリーンに投射される。なお、光源６及び光変調素子７は、投射手段を構成している。
【００５２】
図２は、制御部による第１乃至第４モータ２１ａ，２２ａ，２３ａ，２４ａの回転制御に関する処理手順を示すフローチャートである。
【００５３】
制御部４は、光源６及び光変調素子７を駆動させている場合、回転制御に関する処理を定期的に実行する。制御部４は、第１乃至第４検出部３１，３２，３３，３４が出力する信号ｓｉを取得する（ステップＳ１）。つまり、第１乃至第４検出部３１，３２，３３，３４が出力する信号ｓｉのオン／オフを、第１乃至第４検出部３１，３２，３３，３４に対応させた配列（ｓ１，ｓ２，ｓ３，ｓ４）として記憶する。
【００５４】
次いで、制御部４は、Σｓｉが３以上であるか否かを判定する（ステップＳ２）。つまり、ステップＳ２の処理により、３以上の第１乃至第４通気部1１，１２，１３，１４が塞がれているか否かを判定する。Σｓｉが３以上であると判定した場合（ステップＳ２：ＹＥＳ）、制御部４は、光源６を消灯させる信号を光源６に出力し（ステップＳ３）、発光ダイオード５を点灯させる（ステップＳ４）。
【００５５】
そして、制御部４は、ＲＡＭに記憶した信号ｓｉの配列（ｓ１，ｓ２，ｓ３，ｓ４）に基づいて、空気が筐体１を通過できない旨の警告を発し、障害物の除去を指示する画像をＯＳＤ表示するためのデータを光変調素子７に出力する（ステップＳ５）。
【００５６】
図３は、障害物の除去を指示する画像の模式図である。該画像は、「警告」及び「障害物を取り除いてください。」のメッセージと、筐体１及び第１乃至第４通気部１１，１２，１３，１４の線図とを有している。線図では、筐体１を長方形で示し、第１乃至第４通気部１１，１２，１３，１４を前記長方形の各辺に埋没した長方形として示している。また、信号ｓｉ＝１が出力されている側の第１乃至第４ファン２１，２２，２３，２４を示す長方形の内部は赤色で塗りつぶされている。図３では、第２乃至第４ファン２２，３４，３４を示す長方形の内部が赤色で塗りつぶされている。
【００５７】
次いで、制御部４は、タイマー４０による計時を開始する（ステップＳ６）。そして、制御部４は、第１乃至第４検出部３１，３２，３３，３４が出力する信号ｓｉを取得し（ステップＳ７）、Σｓｉが２以下であるか否かを判定する（ステップＳ８）。Σｓｉが２より大きいと判定した場合（ステップＳ８：ＮＯ）、制御部４は、タイマー４０が所定時間を計時したか否かを判定する（ステップＳ９）。タイマー４０が所定時間を計時したと判定した場合（ステップＳ９：ＹＥＳ）、制御部４は、電源をオフにし（ステップＳ１０）、回転制御に関する処理を終える。所定時間を計時していないと判定した場合（ステップＳ９：ＮＯ）、制御部４は、処理をステップＳ７に戻す。
【００５８】
ステップＳ８でΣｓｉが２以下であると判定した場合（ステップＳ８：ＹＥＳ）、制御部４は、光源６を点灯させる信号を光源６に出力する（ステップＳ１１）。ステップＳ１１の処理を終えた場合、又はステップＳ２でΣｓｉが３以上でないと判定した場合（ステップＳ２：ＮＯ）、制御部４は、テーブルを読み出し（ステップＳ１２）、制御データ（ｆ１，ｆ２，ｆ３，ｆ４）及び信号ｓｉの配列（ｓ１，ｓ２，ｓ３，ｓ４）に基づいて、第１乃至第４モータ２１ａ，２２ａ，２３ａ，２４ａの回転を制御する制御信号を第１乃至第４モータ２１ａ，２２ａ，２３ａ，２４ａに出力し（ステップＳ１３）、回転制御に関する処理を終える。
【００５９】
例えば、全ての第１乃至第４通気部１１，１２，１３，１４が塞がれていない場合、制御部４は、信号ｓｉの配列（０，０，０，０）をＲＡＭに記憶し、該配列に対応する制御データ（１，０，０，２）に基づいて、第１モータ２１ａには吸気方向に回転させる制御信号を、第２モータ２２ａ及び第３モータ２３ａには回転を停止ささせる制御信号を、第４モータ２４ａには排気方向に回転させる制御信号を、第１乃至第４モータ２１ａ，２１ｂ，２１ｃ，２１ｄに出力する。また、第１通気部１１のみが塞がれている場合、制御部４は、信号ｓｉの配列（１，０，０，０）をＲＡＭに記憶し、該配列に対応する制御データ（０，１，２，０）に基づいて、第１モータ２１ａ及び第４モータ２４ａには回転を停止させる制御信号を、第２モータ２２ａには吸気方向に回転させる制御信号を、第３モータ２３ａには排気方向に回転させる制御信号を出力する。
【００６０】
実施の形態１に係るプロジェクタにあっては、第１乃至第４通気部１１，１２，１３，１４のいずれか１つ又は２つが塞がれた場合であっても、塞がれていない第１乃至第４通気部１１，１２，１３，１４に配された第１乃至第４ファン２１，２２，２３，２４のいずれか一つを吸気可能な方向に回転させ、他の一つを排気可能な方向に回転させることができ、筐体１を空気が通過できる状態を維持することができる。
【００６１】
また、障害物で塞がれた第１乃至第４通気部１１，１２，１３，１４のいずれかに配された第１乃至第４ファン２１，２２，２３，２４を回転させる第１乃至第４モータ２１ａ，２２ａ，２３ａ，２４ａを停止させることにより、第１乃至第４ファン２１，２２，２３，２４の回転による無駄なエネルギー消費を抑えることができる。
【００６２】
更に、第１乃至第４通気部１１，１２，１３，１４のいずれか３つ以上が塞がれ、空気が筐体１を通過できない状態にある場合、空気が筐体１を通過できない旨の警告を発し、障害物の除去を指示する画像で表示することができる。
【００６３】
更にまた、第１乃至第４通気部１１，１２，１３，１４の３つ以上が障害物で塞がれた状態が続いた場合、制御部４がステップＳ３の処理で光源６を消灯させるため、空気が筐体１を通過できない状態で光源６が点灯することを防ぐことができ、温度異常による制御部４の誤動作、筐体１の熱変形等を防ぐことができる。
【００６４】
なお、実施の形態１に係るプロジェクタにあっては、４つの通気部に配された４つのファンを備えているが、光源の発熱量に応じて３つの通気部又は５つ以上の通気部及び該通気部夫々に配されたファンを備えても良い。３つの通気部及び該通気部夫々に配されたファンを備える場合、１つの通気部が塞がれ、２つの通気部が塞がれていないとき、２つの通気部に配されたファンを夫々正逆に回転させることにより、空気が筐体を通過する状態を保つことができる。同様に、５つ以上の通気部及びファンを備える場合、通気部が塞がれ、通気部のいずれか２つ以上が塞がれていないとき、空気が筐体を通過できる状態を保つことができる。
【００６５】
また、本発明の実施の形態の一例として、光源、光変調素子等を備えるプロジェクタを説明したが、通気部及びファンを備え、負荷を空冷する他の電気機器、例えば複写機、ファクシミリ等に本発明を適用しても良い。他の電気機器に本発明を適用した場合、実施の形態１と同様の効果が得られる。
【００６６】
（実施の形態２）
実施の形態２に係るプロジェクタは、手動で第１乃至第４ファン２１，２２，２３，２４の回転方向を適宜切り替えることができる点で、実施の形態１のプロジェクタと異なる。制御部４は、第１乃至第４モータ２１ａ，２２ａ，２３ａ，２４ａの回転方向及び回転の停止を制御するための制御データ（ｆ１，ｆ２，ｆ３，ｆ４）＝（１，０，０，２）を初期値としてＲＡＭに記憶している。電源がオンになった場合、制御部４は、前記制御データに基づいて、第１乃至第４モータ２１ａ，２２ａ，２３ａ，２４ａの回転を制御する。
【００６７】
図４は、実施の形態２に係るプロジェクタが備える制御部４の回転制御に関する処理手順を示すフローチャートである。
【００６８】
制御部４は、第１乃至第４検出部３１，３２，３３，３４のいずれかがオフからオンになった場合、又は設定ボタン９１がオンになった場合、制御部４は、第１乃至第４検出部３１，３２，３３，３４が出力する信号ｓｉを取得し（ステップＳ１０１）、Σｓｉが３以上であるか否かを判定する（ステップＳ１０２）。ステップＳ１０２でΣｓｉが３以上であると判断した場合に制御部４が実行するステップＳ１０３乃至ステップＳ１１１の処理は、図２に示したステップＳ１３乃至ステップＳ１１と同様の処理である。ステップＳ１０２でΣｓｉが３より小さいと判定した場合（ステップＳ１０２：ＮＯ）、又は光源６を点灯させるステップＳ１１１の処理を終えた場合、制御部４は、信号ｓｉの配列（ｓ１，ｓ２，ｓ３，ｓ４）に基づいて、第１乃至第４通気部１１，１２，１３，１４を塞ぐ障害物に関する情報、即ち吸排気状態を示す画像をＯＳＤ表示するためのデータを光変調素子７に出力する（ステップＳ１１２）。
【００６９】
図５は、吸排気状態を示す画像の模式図である。吸排気状態を示す画像は、筐体１及び第１乃至第４ファン２１，２２，２３，２４を、図３と同様に線図で示している。また、信号ｓｉ＝１が出力されている第１乃至第４ファン２１，２２，２３，２４を示す長方形の内部は赤色で塗りつぶされている。図５では、第３及び第４ファン２３，２４を示す長方形の内部が赤色で塗りつぶされている。
【００７０】
次いで、十字キー９０の操作状態、特に左右キーの操作状態を検出することで、左右キーがオンであるか否かを判定する（ステップＳ１１３）。左右キーがオンであると判定した場合（ステップＳ１１３：ＹＥＳ）、制御部４は、回転方向を切り替える対象となる第１乃至第４ファン２１，２２，２３，２４のいずれか一つを変更する（ステップＳ１１４）。初期状態では、第１ファン２１を回転方向を切り替える対象としている。また、制御部４は、切り替える対象を表示、例えば切り替える対象の第１乃至第４ファン２１，２２，２３，２４のいずれか一つを枠で囲む画像を表示するＯＳＤ表示データを光変調素子７に出力する。
【００７１】
ステップＳ１１４の処理を終えた場合、又はステップＳ１１３で左右キーがオンでないと判定した場合（ステップＳ１１３：ＮＯ）、制御部４は、十字キー９０の操作状態、特に上下キーの操作状態を検出することで、上下キーがオンであるか否かを判定する（ステップＳ１１５）。上下キーがオンであると判定した場合（ステップＳ１１５：ＹＥＳ）、制御部４は、回転方向を切り替える対象として選択された第１乃至第４ファン２１，２２，２３，２４のいずれか一つに対応する制御データｆｉを０から１に、又は１から０に変更する（ステップＳ１１６）。
【００７２】
ステップＳ１１６の処理を終えた場合、又はステップＳ１１５で上下キーがオンでないと判定した場合（ステップＳ１１５：ＮＯ）、制御部４は、設定ボタン９１の操作状態を検出することで、設定ボタン９１がオンであるか否かを判定する（ステップＳ１１７）。設定ボタン９１がオンでないと判定した場合（ステップＳ１１７：ＮＯ）、制御部４は、処理をステップＳ１１２に戻す。設定ボタン９１がオンであると判定した場合（ステップＳ１１７：ＹＥＳ）、制御部４は、制御データ（ｆ１，ｆ２，ｆ３，ｆ４）に基づいて、第１乃至第４モータ２１ａ，２２ａ，２３ａ，２４ａの回転及び停止を制御する制御信号を、第１乃至第４モータ２１ａ，２２ａ，２３ａ，２４ａに出力し（ステップＳ１１８）、回転制御に関する処理を終える。
【００７３】
実施の形態２に係るプロジェクタにあっては、配置されたプロジェクタの姿勢を変えることなく、設定ボタン９１及び十字キー９０を操作することにより、吸気及び排気方向を手動で適宜変更することができる。従って、例えばプロジェクタの使用者は、吸気及び排気方向を変更することで、排気される熱気を避けることができる。
【００７４】
また、障害物により空気の通過方向が変化したことを示す画像を表示することにより、第１乃至第４通気部１１、１２，１３，１４のいずれかが塞がれたことを報知することができる。従って、報知を受けたプロジェクタの使用者は、第１乃至第４通気部１１、１２，１３，１４のいずれかが塞がれたことを認識することができ、空気が筐体１を通過するように、塞がれていない第１乃至第４通気部１１、１２，１３，１４のいずれか２つに配されたファンを吸気及び排気方向に回転させることができる。
【００７５】
制御部４の処理手順以外の他の構成、作用及び効果は、実施の形態１に係るプロジェクタの構成、作用及び効果と同様であるため、対応する箇所には同様の符号を付してその詳細な説明を省略する。
【００７６】
なお、実施の形態２に係るプロジェクタにあっては、４つの通気部に配された４つのファンを備えているが、２つの通気部及び該通気部夫々に配されたファンを備えても良い。例えば、筐体の両側面に通気部及びファンを備えても良い。右側面側のファンが吸気／排気方向に回転し、左側面側のファンが排気／吸気方向に回転する場合、空気が右側／左側から左側／右側へ筐体内を通過するが、プロジェクタの使用者は、設定ボタン及び十字キーでファンの回転方向を正逆に切り替えることにより、空気が左側から右側へ筐体を通過する状態と、空気が右側から左側へ筐体を通過する状態とを選択することができる。従って、筐体の左側にいる使用者は、移動することなく、筐体から排気される熱気を避けることができる。
【００７７】
また、筐体の両側面に通気部を備えている場合、右側面の通気部にのみ１つのファンを配しても良い。右側面のファンが吸気／排気方向に回転した場合、右側面の通気部から吸気／排気され、該通気部の吸排気に応じて、左側面の通気部から排気／吸気される。従って、プロジェクタの使用者は、２つのファンを備える場合と同様に、ファンの回転方向を適宜切り替えることで、筐体から排気される熱気を避けることができる。
【図面の簡単な説明】
【００７８】
【図１】本発明の実施の形態１に係るプロジェクタを示すブロック図である。
【図２】制御部による第１乃至第４モータの回転制御に関する処理手順を示すフローチャートである。
【図３】障害物の除去を指示する画像の模式図である。
【図４】実施の形態２に係るプロジェクタが備える制御部の回転制御に関する処理手順を示すフローチャートである。
【図５】吸排気状態を示す画像の模式図である。
【符号の説明】
【００７９】
１  筐体
４  制御部
５  発光ダイオード
６  光源
７  光変調素子
８  レンズ
９  操作部
１１  第１通気部
１２  第２通気部
１３  第３通気部
１４  第４通気部
２１  第１ファン
２２  第２ファン
２３  第３ファン
２４  第４ファン
２１ａ  第１モータ
２２ａ  第２モータ
２３ａ  第３モータ
２４ａ  第４モータ
３１  第１検出部
３２  第２検出部
３３  第３検出部
３４  第４検出部
４０  タイマー
９０  十字キー
９１  設定ボタン
【図１】
2006309015.tif 000003
【図２】
2006309015.tif 000004
【図３】
2006309015.tif 000005
【図４】
2006309015.tif 000006
【図５】
2006309015.tif 000007